(57)【要約】【課題】共有表示装置に表示する映像データの切り換えが容易な会議システムを提供する。【解決手段】複数のクライアント・デバイス５１〜６１が直接またはネットワーク１５を通じて切換装置１００に接続される。切換装置の出力は、共有表示装置１１、１３に接続される。各クライアント・デバイスはプレゼンテーションに使用する映像データを切換装置に出力する。切換装置１００は、受け取った映像データを共有表示装置に表示する順番をキューに登録する。登録の順番は、切換装置が映像データを受け取った順番とすることができる。キューの内容や各プレゼンターの持ち時間を共有表示装置に表示することができる。切換装置は、所定のタイミングでキューの順番に従って共有表示装置に表示する映像データを切り換える。【選択図】図１
2019022181.tif 000002
【特許請求の範囲】
【請求項１】
複数のクライアント・デバイスが出力した映像データを切換装置が共有表示装置に表示する方法であって、
前記切換装置が前記複数のクライアント・デバイスから映像データを受け取るステップと、
前記切換装置が複数の前記映像データを前記共有表示装置に表示する順番を設定するステップと、
前記切換装置が前記設定した順番に従って前記映像データを切り換えて前記共有表示装置に表示するステップと
を有する方法。
【請求項２】
前記表示する順番が、前記切換装置が前記映像データを受け取った順番である請求項１に記載の方法。
【請求項３】
前記表示する順番が、前記映像データの出力に伴って前記クライアント・デバイスが指定した順番である請求項１に記載の方法。
【請求項４】
前記切換装置が前記設定した順番を前記共有表示装置に表示するステップと、
前記切換装置がいずれかの前記クライアント・デバイスからの指示に応じて前記設定した順番を変更するステップと
を有する請求項１に記載の方法。
【請求項５】
前記切換装置が前記映像データごとに前記共有表示装置に表示する持ち時間を設定するステップを有し、前記表示するステップが前記持ち時間が経過したときに前記映像データを切り換えるステップを含む請求項１に記載の方法。
【請求項６】
前記切換装置が所定の前記映像データが表示されている時間を計時するステップと、
前記切換装置が残りの前記持ち時間を前記共有表示装置に表示するステップと
を有する請求項５に記載の方法。
【請求項７】
前記クライアント・デバイスが、オンライン会議システムで接続された遠方のクライアント・デバイスを含む請求項１に記載の方法。
【請求項８】
前記切換装置が前記共有表示装置に表示されている映像データを前記遠方のクライアント・デバイスに送るステップを有する請求項７に記載の方法。
【請求項９】
共有表示装置に表示する映像データの順番を切換装置が制御する方法であって、
前記切換装置が複数のクライアント・デバイスから映像データを受け取るステップと、
前記切換装置がプレゼンテーションの順番を設定するステップと、
前記切換装置が所定のプレゼンテーションが終了したことを判断するステップと、
前記切換装置が前記設定した順番に従って次の映像データを前記共有表示装置に表示するステップと
を有する方法。
【請求項１０】
複数のクライアント・デバイスから受け取った映像データを共有表示装置に転送する切換装置であって、
前記複数のクライアント・デバイスから受け取った映像データを記憶する記憶部と、
複数の前記映像データを前記共有表示装置に転送する順番を登録する登録部と、
前記登録部が示す順番に所定のタイミングで前記記憶部から抽出した前記映像データを前記共有表示装置に出力する映像制御部と
を有する切換装置。
【請求項１１】
前記登録部が、前記クライアント・デバイスの識別子を含むキューで構成されている請求項１０に記載の切換装置。
【請求項１２】
前記キューが各映像データを前記共有表示装置に表示する持ち時間を含む請求項１１に記載の切換装置。
【請求項１３】
前記映像制御部は、前記識別子に対応する画像が前記キューの順番に並んだコントロール画像を前記共有表示装置に表示する請求項１１に記載の切換装置。
【請求項１４】
前記識別子に対応する画像が、各クライアント・デバイスから受け取った映像データである請求項１３に記載の切換装置。
【請求項１５】
前記映像制御部は、前記所定のタイミングを現在前記共有表示装置に映像データを表示しているクライアント・デバイスが前記映像データの出力を停止したときに認識する請求項１０に記載の切換装置。
【請求項１６】
ビデオ規格のフォーマットの映像データを処理する第１の映像生成部と、ＬＡＮ規格のフォーマットの映像データを処理する第２の映像生成部と、オンライン会議システムを通じてリモート・ユーザから受け取ったフォーマットの映像データを処理する第３の映像生成部とを有する請求項１１に記載の切換装置。
【請求項１７】
前記第３の映像生成部は、前記共有表示装置に表示されている映像データを前記リモート・ユーザのクライアント・デバイスに転送する請求項１６に記載の切換装置。
【請求項１８】
前記第３の映像生成部は、前記識別子に対応する画像が前記キューの順番に並んだコントロール画像を前記リモート・ユーザのクライアント・デバイスに転送する請求項１７に記載の切換装置。
【請求項１９】
共有表示装置と、
複数のクライアント・デバイスを接続するインターフェースと、
前記複数のクライアント・デバイスから受け取った映像データを記憶する記憶部と、
複数の前記映像データを前記表示装置に転送する順番を登録する登録部と、
前記登録部が示す順番に所定のタイミングで前記記憶部から抽出した前記映像データを前記共有表示装置に出力する映像制御部と
を有する会議システム。
【発明の詳細な説明】
【技術分野】
【０００１】
本発明は、共有表示装置を複数のクライアント・デバイスで共有する技術に関し、さらには共有表示装置が表示する映像データを切り換える技術に関する。
【背景技術】
【０００２】
会議室では、１台の大型の共有表示装置を複数のユーザがそれぞれ保有するクライアント・デバイスが共有する場合がある。このとき遠方に存在する参加者は、オンライン会議システムを使って共有表示装置に画像を表示することもできる。共有表示装置は、プレゼンターとなるユーザのクライアント・デバイスが送る画像を表示する。共有表示装置は、最初のプレゼンターのプレゼンテーションが終わると、次のプレゼンターのクライアント・デバイスが送る画像を表示する。このとき、共有表示装置に表示する画像をプレゼンターの変更に伴って切り換える必要がある。
【０００３】
特許文献１は、共有ディスプレイに複数の計算機がそれぞれ表示している画像を同時にウィンドウ形式で表示することを開示する。特許文献２は、マルチポイント制御装置（ＭＣＵ）に接続された複数の端末装置の間でグループ会議をするための、ビデオ切り換え機構を含むビデオ会議装置を開示する。同文献は、ＭＣＵがオーディオ・ストリームを解析して決定した優先順位の高い話者のビデオ・ストリームを参加者全員に配信することを記載する。
【０００４】
特許文献３は、ディスプレイの方向に応じて選択操作をすることなく情報ソースを切り換えることを開示する。同文献は、ディスプレイ装置の台座部がなす角度に応じてディスプレイが表示する情報ソースを切り換えることを記載する。非特許文献１は、複数のクライアントが会議室に設置されたディスプレイで画面を共有するソルーションを開示する。同文献には、クライアントの画面をクリックして画面を切り換えることやコンテンツを共有することを記載する。
【先行技術文献】
【特許文献】
【０００５】
【特許文献１】特開２００５−１４９４４０号公報
【特許文献２】特表２００５−５１６５５７号公報
【特許文献３】特開平５−２３２９１０号公報
【非特許文献】
【０００６】
【非特許文献１】”Intel Unite Solution User Guide v3.15”, [online], Intel, [平成２９年５月１８日検索]、インターネット〈URL: http://download.intel.com/support/software/applications/unite/sb/intel_unite_user_guide.pdf〉
【発明の概要】
【発明が解決しようとする課題】
【０００７】
非特許文献１の会議システムでは、クライアント・デバイスが共有操作をすると当該クライアント・デバイスのデスクトップに表示された画像データが共有表示装置に表示される。共有表示装置にある画像データが表示されているときに、他のユーザがさらに画像データを送ると画面が分割されて前のユーザと新しいユーザの画像データが同時に表示される。いずれかのユーザが共有表示装置から退席する操作をすると残りの画像データが拡大されて表示される。このとき共有表示装置に画像データを表示するために、ユーザは会議中に共有操作をする必要がある。
【０００８】
また、現在表示されている画像データおよびあるユーザが共有表示装置から退席した後に表示されている画像データはプレゼンテーションの順番とは無関係であるため、あらかじめプレゼンテーションの順番が決まっているような会議では使いにくい場合がある。さらに、オンライン会議システムを使ってリモート・ユーザのクライアント・デバイスが共有表示装置に画像データを表示するためには、会議に参加しているいずれかのローカル・ユーザが中継操作をする必要があるため手間がかかる。さらに、リモート・ユーザは共有表示装置に表示されている画像データを共有することができない。本発明の目的は、このような共有表示装置を含む会議システムに発生している諸問題を解決することにある。
【課題を解決するための手段】
【０００９】
本発明の態様は、複数のクライアント・デバイスが出力した映像データを切換装置が共有表示装置に表示する方法を提供する。複数のクライアント・デバイスから映像データを受け取り、切換装置が複数の映像データを共有表示装置に表示する順番を設定し、設定した順番に従って切換装置が映像データを切り換えて共有表示装置に表示する。
【００１０】
表示する順番は、切換装置が映像データを受け取った順番や、映像データの出力に伴ってクライアント・デバイスが指定した順番とすることができる。切換装置は設定した順番を共有表示装置に表示し、いずれかのクライアント・デバイスからの指示に応じて設定した順番を変更することができる。切換装置は映像データごとに共有表示装置に表示する持ち時間を設定し、持ち時間が経過したときに映像データを切り換えて共有表示装置に表示することができる。
【００１１】
切換装置は所定の映像データが表示されている時間を計時して、残りの持ち時間を共有表示装置に表示することができる。クライアント・デバイスは、オンライン会議システムで接続された遠方のクライアント・デバイスを含むことができる。また、共有表示装置に表示されている映像データを遠方のクライアント・デバイスに送ることができる。
【発明の効果】
【００１２】
本発明の上記態様により、共有表示装置に表示する映像データの切り換えを容易にすることができた。さらに本発明の上記態様により、所定の順番で自動的に共有表示装置に映像データを表示することができた。さらに本発明の上記態様により、リモート・ユーザの映像データを、ローカル・ユーザを介在しないで共有表示装置に表示することができた。
【図面の簡単な説明】
【００１３】
【図１】映像共有システム１０の概要を説明するための図である。
【図２】切換装置１００の機能ブロック図である。
【図３】映像転送部１０５の構成を説明するための機能ブロック図である
【図４】コントロール画像１５０の一例を説明するための図である。
【図５】共有表示装置１１、１３に表示される転送映像の一例を示す図である。
【図６】映像共有システム１０の動作手順を説明するためのフローチャートである。
【図７】映像共有システム１０、１０ａ、１０ｂの構成の概要を説明する図である。
【図８】切換装置１００、４０３、５０３が相互に接続される前に、共有表示装置１１、４０１、５０１にそれぞれ表示するコントロール画像の一例を説明するための図である。
【図９】切換装置１００、４０３、５０３が相互に接続されたときに共有表示装置１１、４０１、５０１にそれぞれ表示するコントロール画像の一例を説明するための図である。
【発明を実施するための形態】
【００１４】
［映像共有システムの概要］
図１は、本実施形態にかかる映像共有システム１０の概要を説明するための図である。図１において、映像共有システム１０は、会議室に存在する、共有表示装置１１、１３、切換装置１００、およびローカル・ユーザが使用するクライアント・デバイス５１〜５９と、会議室１０の外に存在するリモート・ユーザが使用するクライアント・デバイス６１を含む。
【００１５】
共有表示装置１１、１３はローカル・ユーザの全員が見るのに適した大きさのテレビジョンやプロジェクターとすることができる。共有表示装置１１、１３の台数は例示であり、１台および３台以上でもよい。共有表示装置が複数ある場合は、１人のプレゼンターが異なる画像データをこれらに同時に表示することができる。共有表示装置１１、１３と切換装置１００は、映像データを転送するのに適した有線または無線の広帯域のインターフェース規格で接続されている。
【００１６】
切換装置１００は、クライアント・デバイス５１〜６１がそれぞれ出力する映像データに対して、共有表示装置１１、１３に表示する順番を設定し、所定のタイミングで表示する映像データを自動的に切り換える。なお、本明細書において使用する用語としての映像は、動画像および音声の両方を示す場合と、静止画像だけを示す場合を含むことにする。切換装置１００の構成は図２、図３を参照して説明する。
【００１７】
クライアント・デバイス５１〜６１は、デスクトップＰＣ、ラップトップＰＣ、タブレット端末、およびスマートフォンなどとすることができる。クライアント・デバイス５１〜６１は、本実施形態のために、切換装置１００に映像データや制御コマンドを出力したり、切換装置１００から映像データを受け取ったりするソフトウェアを実装しているが、ハードウェアは特に変更する必要がない。
【００１８】
クライアント・デバイス５１〜６１は、それぞれデスクトップに表示している映像データまたは自らの記憶装置またはサーバから選択したファイルの映像データを切換装置１００に出力することができる。映像データはクライアント・デバイス５１〜６１が搭載するカメラが撮影した動画像データでもよい。クライアント・デバイス５１〜６１はそれぞれ、共有表示装置１１、１３に異なる映像データを表示するために２種類の映像データを出力してもよい。クライアント・デバイス５１〜６１は、プレゼンテーションの順番や持ち時間を設定するための制御コマンドを映像データの出力の際にまたは任意のタイミングで出力することができる。
【００１９】
クライアント・デバイス５１〜５７は、有線または無線の伝送路で直接切換装置１００に接続されている。ネットワーク１５は、有線または無線の伝送路で切換装置１００に接続されている。クライアント・デバイス５９、他の映像共有システム１０ａ、１０ｂ、およびクライアント・デバイス６１はネットワーク１５を経由して、切換装置１００に接続されている。
【００２０】
映像共有システム１０ａ、１０ｂは本実施の形態において、映像共有システム１０と同じ構成として説明することができる。映像共有システム１０、１０ａ、１０ｂの切換装置はネットワーク１５を経由して相互に接続することができる。ネットワーク１５は、ＰＡＮ(Personal Area Network）、ＬＡＮ(Local Area Network)、ＭＡＮ(Metropolitan Area Network)、ＷＡＮ(Wide Area Network)、インターネット、およびイントラネットなどのいずれかまたは複数のネットワークを含んでいる。
【００２１】
ネットワーク１５には、クライアント・デバイス５５、５７、５９、６１および切換装置１００を有線または無線で接続するための、無線ＬＡＮのルータ、３Ｇ、ＬＴＥ、ＷｉＭＡＸなどの移動体通信規格の無線ＷＡＮ基地局、およびイーサネット（登録商標）ルータなどの接続デバイス（図示せず。）が接続されている。クライアント・デバイス６１は、オンライン会議システムを使ってクライアント・デバイス５９と通信することができる。
【００２２】
この場合、クライアント・デバイス５９は、クライアント・デバイス６１から受け取った映像データを切換装置１００に送って共有表示装置１１，１３に表示することができる。また、切換装置１００は、共有表示装置１１、１３に表示された映像データをクライアント・デバイス５９に表示することができる。このときクライアント・デバイス６１は、クライアント・デバイス５９を経由して共有表示装置１１、１３に表示された映像データを受け取ることができる。
【００２３】
オンライン会議システムとして、Ｓｋｙｐｅ（登録商標）  ｆｏｒ  ＢｕｓｉｎｅｓｓやＷｅｂＥｘ（登録商標）などを挙げることができるが、本発明の適用においては特に限定する必要はない。本実施の形態ではこれに加えて、リモート・ユーザのクライアント・デバイス６１は、直接切換装置１００に映像データを出力し、さらに切換装置１００から共有表示装置１１、１３が表示している映像データを受け取って自らの表示パネルに表示することができる。したがって、リモート・ユーザはローカル・ユーザと同じように共有表示装置１１、１３の画面を利用した会議に参加することができる。
【００２４】
［切換装置］
図２は切換装置１００の機能ブロック図である。切換装置１００は、ＦＩＦＯメモリ１０１、映像制御部１０３、映像転送部１０５、入力インターフェース１０７および入力デバイス１０９を含んでいる。映像制御部１０３および映像転送部１０５は、ＣＰＵ、システム・メモリおよびＩ／Ｏチップなどのハードウェアとソフトウェアの協働で構成する。ＦＩＦＯメモリ１０１は、ＣＰＵがアクセスできるシステム・メモリの記憶領域の一部または専用の揮発性メモリで構成することができる。
【００２５】
入力インターフェース１０７は、一例において、ビデオ・キャプチャ・カード１１１、ビデオ・コントローラ１１３、ＷｉＦｉ（登録商標）コントローラ１１５、およびイーサネット（登録商標）コントローラ１１７を含んでいる。入力インターフェース１０７はさらに、クライアント・デバイスと通信して制御コマンドの送信に利用が可能なＷＵＳＢコントローラ、およびＢｌｕｅｔｏｏｔｈ（登録商標）コントローラなど（図示せず）を含んでいてもよい。
【００２６】
ビデオ・キャプチャ・カード１１１は、ＨＤＭＩ（登録商標：High-Definition Multimedia Interface）、ＤＰ（Display Port）、ＶＧＡ（Video Graphics Array）、ＤＶＩ（Digital Visual Interface）などのビデオ規格の有線のインターフェースで通信してクライアント・デバイス５１から映像データを受信する。コネクタの数はビデオ規格ごとに複数個設けてもよい。
【００２７】
ビデオ・コントローラ１１３は、ＷｉＧｉｇ（登録商標：Wireless Gigabit）、ＷｉＤｉ（Intel Wireless Display）、ＷｉｒｅｌｅｓｓＨＤ（登録商標）、ＷＨＤＩ（登録商標：Wireless Home Digital Interface）、Miracast（登録商標）などの広帯域の無線規格でクライアント・デバイス５３と通信して映像データを受信する。ＷｉＦｉ（登録商標）コントローラ１１５は、クライアント・デバイス５５およびネットワーク１５と通信して映像データを送受信する。イーサネット（登録商標）コントローラ１１７は、クライアント・デバイス５７およびネットワーク１５と通信して映像データを送受信する。
【００２８】
映像共有システム１０ａ、１０ｂの切換装置は、ネットワーク１５を経由して切換装置１００に接続され相互間で映像データや制御コマンドを転送する。入力デバイス１０９は、タッチパネル、マウス、およびタッチスクリーンなどで構成することができる。入力デバイス１０９はさらにローカル・ユーザが会議している場所の音声や画像をリモート・ユーザに送るためのマイクロフォンやカメラを含むことができる。管理者は入力デバイス１０９から映像制御部１０３に制御コマンドを送ることができる。映像転送部１０５の構成は図３を参照して説明する。
【００２９】
［映像転送部］
図３は、映像転送部１０５の構成を説明するための機能ブロック図である。映像転送部１０５の各要素を構成するソフトウェア・モジュールは、デバイス・ドライバ、ＯＳ、およびアプリケーション・プログラムで構成することができる。図３の構成は例示であり、各要素をさらに分割したり統合したりすることは自由である。ビデオ系入力部２０１は、ビデオ・キャプチャ・カード１１１およびビデオ・コントローラ１１３から映像データを受信する。
【００３０】
ＬＡＮ系入出力部２０３は、ＷｉＦｉ（登録商標）コントローラ１１５およびイーサネット（登録商標）コントローラ１１７との間で映像データおよび制御コマンドを送受信する。リモート系入出力部２０５は、ＷｉＦｉ（登録商標）コントローラ１１５およびイーサネット（登録商標）コントローラ１１７との間でクライアント・デバイス６１に対するオンライン会議のための映像データおよび制御コマンドを送受信する。なお、クライアント・デバイス５９がオンライン会議の中継をして表示するときのクライアント・デバイス６１の映像データはＬＡＮ系入出力部２０３が受け取る。
【００３１】
ビデオ系入力部２０１、ＬＡＮ系入出力部２０３およびリモート系入出力部２０５がそれぞれ受け取る映像データは、ＲＧＢおよびＹＵＶのようにレンダリングされて画素レベルに展開されているため、さまざまなアルゴリズムで圧縮されている場合もある。映像生成部２１１、２１３、２１５は、受け取った映像データを必要に応じてデコーディングしたり、ＲＧＢとＹＵＶの相互間でフォーマット変換したりして、共有表示装置１１、１３に表示する映像データを生成する。
【００３２】
映像生成部２１５は一例でＳｋｙｐｅ（登録商標）  ｆｏｒ  Ｂｕｓｉｎｅｓｓ  ＳＤＫで開発したソフトウェア・モジュールを含む。映像生成部２１５は、リモート・ユーザのクライアント・デバイス６１が接続されている間、ネットワーク１５を経由して、共有表示装置１１、１３が表示している映像データをクライアント・デバイス６１に送る。このとき映像制御部１０３は、同時に会議室の音声をクライアント・デバイス６１に送ることができる。
【００３３】
一例において、映像生成部２１１〜２１５は、各クライアント・デバイス５１〜６１および他の映像共有システム１０ａ、１０ｂの切換装置から受け取った映像データを、システム・メモリの一部に確保した領域に、ＢＭＰフォーマットのメモリＤＣ２２１として記憶する。たとえば、ＢＭＰ＃１、＃２は映像生成部２１１が記憶し、ＢＭＰ＃３、＃４は映像生成部２１３が記憶し、ＢＭＰ＃５は映像生成部２１５が記憶している。映像生成部２１１〜２１５は、受け取っている静止画像データが更新されたときにメモリＤＣ２２１を書き換えることができる。映像生成部２１１〜２１５は、動画像を受け取っている場合に、所定のリフレッシュ・レートでメモリＤＣ２２１の映像データを書き換えることができる。
【００３４】
映像合成部２２３は、映像制御部１０３から指示されたクライアント・デバイスが出力した映像データをメモリＤＣ２２１から抽出して、映像制御部１０３から指示された共有表示装置１１、１３に指示された形式で表示する。ここにクライアント・デバイス５１〜６１が出力した映像データのなかで共有表示装置１１、１３に表示する映像データを転送映像ということにする。転送映像は、メモリＤＣ２２１のなかからＦＩＦＯメモリ１０１のキューに基づいて映像制御部１０３が共有表示装置１１、１３に表示するために選択した映像データに相当する。
【００３５】
映像合成部２２３は、たとえば、共有表示装置１１に転送映像２２５を出力し、共有表示装置１３に転送映像２２７を出力することができる。映像合成部２２３は、指示されたクライアント・デバイスの転送映像を、映像制御部１０３から新しい転送映像への切り換えの指示があるまで共有表示装置１１、１３に出力する。映像合成部２２３は、抽出した転送映像とプレゼンテーションの残りの持ち時間を合成して共有表示装置１１、１３に出力することができる。
【００３６】
映像制御部１０３は、キューに基づいて映像合成部２２３にコントロール画像１５０（図４）を作成するように指示する。映像合成部２２３は、映像制御部１０３からコントロール画像１５０を表示する指示を受けたときまたは転送映像を切り換えるときに、一例として現在表示している転送映像に重ねてコントロール画像１５０を所定の時間だけ表示することができる。
【００３７】
［映像制御部およびＦＩＦＯメモリ］
映像制御部１０３は、映像転送部１０５が、クライアント・デバイス５１〜６１および映像共有システム１０ａ、１０ｂから映像データを受け取った順番またはクライアント・デバイス５１〜６１および映像共有システム１０ａ、１０ｂが指定した順番にＦＩＦＯメモリ１０１にキューを登録する。キューは、映像データを出力したクライアント・デバイス５１〜６１および映像共有システム１０ａ、１０ｂの識別子、およびユーザが要求するプレゼンテーションの持ち時間を含むデータ構造体に相当する。ただし、キューは持ち時間を含まなくてもよい。
【００３８】
ビデオ・キャプチャ・カード１１１から映像データを受け取ったときの識別子は、入力ポートの番号とすることができる。クライアント・デバイス５１〜６１および映像共有システム１０ａ、１０ｂのユーザは、登録されたキューに基づいて作成されたコントロール画像１５０が共有表示装置１１、１３に表示されたあとに、制御コマンドを送ってキューの順番や持ち時間を変更することができる。
【００３９】
映像制御部１０３は、任意のユーザまたは管理者により、クライアント・デバイス５１〜６１または入力デバイス１０９から受け取った制御コマンドに応じてＦＩＦＯメモリ１０１のキューの順番を入れ替えたり持ち時間を変更したりすることができる。クライアント・デバイス５１〜６１および映像共有システム１０ａ、１０ｂの切換装置は、入力インターフェース１０７を通じて映像データと同時にまたは任意のタイミングで映像制御部１０３に制御コマンドを送ることができる。映像制御部１０３は、持ち時間を要求していないクライアント・デバイスに対しては、デフォルトで持ち時間を割り当てることができる。
【００４０】
映像制御部１０３は、ＦＩＦＯメモリ１０１のキューを更新したときに映像合成部２２３に更新したコントロール画像１５０を生成して表示するように指示することができる。コントロール画像１５０は、共有表示装置１１、１３のいずれか一方に常時表示してもよいが、転送映像を切り換えるとき、および、いずれかのユーザまたは管理者が指示したときに所定の時間だけ表示するようにしてもよい。
【００４１】
映像制御部１０３は、キューに基づいて転送映像を切り換えてからの当該転送映像に対する経過時間を計時して映像合成部２２３に通知する。映像制御部１０３は、現在プレゼンテーションをしているユーザの持ち時間が終了したとき、プレゼンターまたは管理者により変更が指示されたときに、ＦＩＦＯメモリ１０１を参照して、次のキューに対応する転送映像を出力するように映像合成部２２３に指示する。
【００４２】
映像合成部２２３は、経過時間から計算した各プレゼンターの残りの持ち時間を共有表示装置１１、１３に表示する。映像制御部１０３はコントロール画像１５０を、各クライアント・デバイス５１〜６１に表示し、各クライアント・デバイスのタッチスクリーン上でプレゼンテーションの順番を変更したり持ち時間を変更したりできるようにしてもよい。
【００４３】
［コントロール画像］
図４は、コントロール画像１５０の一例を説明するための図である。コントロール画像１５０は、ＦＩＦＯメモリ１０１のキューから作成した映像データの表示の順番とプレゼンテーションの持ち時間を示す画像に相当する。コントロール画像１５０は、各クライアント・デバイス５１〜６１の識別子、ユーザの名前、ニックネームなどを順番に並べて構成してもよいが、各クライアント・デバイスが表示しているデスクトップ画像を並べて構成することができる。
【００４４】
コントロール画像を構成する先頭の画像は転送画像に相当し、後続の画像は転送前の映像データに相当する。コントロール画像１５０をデスクトップ画像で構成すると、映像制御部１０３がビデオ・キャプチャ・カード１１１に接続するクライアント・デバイス５１の識別子を認識できない場合でも、当該ユーザはコントロール画像１５０から自らの順番を容易に判断できる。また会議の参加者は、コントロール画像１５０を会議の流れや自分の順番の把握に容易に利用することができる。
【００４５】
コントロール画像１５１は、キューの順番に映像データＡ〜Ｅと対応する持ち時間が順番に並んでいる様子を示している。コントロール画像１５３は、最初のプレゼンテーションにかかるクライアント・デバイスが出力した転送映像Ａの表示が終了したときの様子を示している。この時点でＦＩＦＯメモリ１０１からは転送映像Ａのキューが消去されている。
【００４６】
コントロール画像１５５〜１５９は、コントロール画像１５１をみたユーザがクライアント・デバイス５１〜６１や入力デバイス１０９から表示の順番、表示方法および持ち時間を変更するためのコマンドを送ったときの様子を示している。コントロール画像１５５は、コントロール画像１５１の順番を維持しながら、共有表示装置１１、１３に、映像データＡ、同時に映像データＢ、Ｃ、同時に映像データＤ、Ｅ、Ｆ、映像データＧの順番に表示する様子を示している。
【００４７】
同時に複数の転送映像を表示する場合は、そのなかの最長の持ち時間、コントロール画像１５１で順番が先の転送映像に対応する持ち時間、ユーザまたは管理者が指定した持ち時間を適用することができる。コントロール画像１５７は、コントロール画像１５１の順番が、ユーザや管理者からの制御コマンドで変更された様子を示している。コントロール画像１５９は、上段に共有表示装置１１に表示する映像データと対応する待ち時間が順番に並び、下段に共有表示装置１３に表示する映像データと対応する待ち時間が順番に並んでいる。
【００４８】
［共有表示装置の画像］
図５は、共有表示装置１１、１３に表示される転送映像の一例を示す図である。図５（Ａ）は、コントロール画像１５１が生成されたときに、共有表示装置１１に転送映像Ａとコントロール画像１５１が表示されている様子を示している。図５（Ｂ）は、コントロール画像１５３が生成されて転送映像Ｂのユーザがプレゼンテーションをしているときに、共有表示装置１１に転送映像Ｂと残りの持ち時間１４０が表示されている様子を示している。
【００４９】
映像制御部１０３は、転送映像Ａから転送映像Ｂに切り換えたときから計時した経過時間で残りの持ち時間１４０を修正するように映像合成部２２３に指示する。図５（Ｃ）は、コントロール画像１５５が生成されてから、転送映像Ａのユーザのプレゼンテーションが終了したときに、共有表示装置１１に同時に転送映像Ｂ、Ｃと残りの持ち時間１４０が表示されている様子を示している。
【００５０】
なお、転送映像Ｂの持ち時間が終了したときに映像制御部１０３は、共有表示装置１１に、拡大した転送映像Ｃとその持ち時間を表示するように映像合成部２２３に指示することができる。図５（Ｄ）は、コントロール画像１５９が生成されてから、転送映像Ａのユーザのプレゼンテーションが終了したときに、共有表示装置１１に転送映像Ａと残りの持ち時間１４０が表示され、共有表示装置１３に同時に転送映像Ｂ、Ｃと転送映像Ｂの残りの持ち時間１４０が表示されている様子を示している。
【００５１】
［動作手順］
図６は、映像共有システム１０の動作手順を説明するためのフローチャートである。図７は、映像共有システム１０、１０ａ、１０ｂの概要を説明するための図である。ここでは映像共有システム１０の切換装置１００にクライアント・デバイスＡ〜Ｅが接続され、映像共有システム１０ａの切換装置４０３にクライアント・デバイスＦ〜Ｊが接続され、映像共有システム１０ｂの切換装置５０３にクライアント・デバイスＫ〜Ｏが接続されていると想定する。
【００５２】
一例において、切換装置１００がマスターとなって共有表示装置１１に表示する映像データの表示順序を制御する例を説明するが、切換装置４０３，５０３がマスターになって共有表示装置４０１、５０１に表示する映像データの表示順序を制御することができる。ブロック３０１で映像共有システム１０、１０ａ、１０ｂが動作する。なお、以下では主に映像共有システム１０の動作を例にして説明するが、映像共有システム１０ａ、１０ｂの動作手順も同様に理解することができる。
【００５３】
ブロック３０３でクライアント・デバイスＡ〜Ｅが直接またはネットワーク１５経由で切換装置１００に接続される。この時点では、クライアント・デバイスＡ〜Ｅはケーブルがコネクタに接続されたり無線のアソシエーションが完了したりして画像データの転送が可能な状態になるが、いずれのクライアント・デバイスＡ〜Ｅも映像データを出力していないものとする。映像共有システム１０ａ、１０ｂでも同様にそれぞれクライアント・デバイスＦ〜Ｊおよびクライアント・デバイスＫ〜Ｏが切換装置４０３、５０３に接続される。
【００５４】
ブロック３０５で、クライアント・デバイスＡ〜Ｅが順番に映像データの転送を始めると想定する。一例でクライアント・デバイスＡ〜Ｅは、プレゼンテーションの順番に映像データを出力する。他の例でクライアント・デバイスＡ〜Ｅは映像データの伝送路で、または別の伝送路で切換装置１００に制御コマンドを送って、それぞれのプレゼンテーションの持ち時間および順番またはいずれかを要求することができる。
【００５５】
ブロック３０７で映像制御部１０３は、映像データを受け取った順番または制御コマンドで指示された順番にクライアント・デバイスＡ〜ＥのキューをＦＩＦＯメモリ１０１に登録する。このとき映像制御部１０３は制御コマンドで指示された順番を、映像データを受け取った順番に優先させてキューを登録することができる。
【００５６】
ブロック３０９で映像制御部１０３は、ＦＩＦＯメモリ１０１を参照して、図８に示すコントロール画像１６１と最初のクライアント・デバイスが出力した転送映像Ａを共有表示装置１１に表示する。映像共有システム１０ａ、１０ｂでも同様にＦＩＦＯメモリにキューが登録され、共有表示装置４０１、５０１にそれぞれクライアント・デバイスＦ〜Ｊ、Ｋ〜Ｏの順番を示すコントロール画像４５１、５５３と最初のクライアント・デバイスＦ、Ｋが出力した転送映像Ｆ、Ｋが表示される。
【００５７】
ブロック３１１で、切換装置１００、４０３、５０３が相互に接続される。ここでは、先に切換装置４０３が接続され、続いて切換装置５０３が接続されたと想定する。切換装置４０３、５０３は、映像共有システム１０におけるクライアント・デバイスＡ〜Ｅと同じ階層で動作して、切換装置１００に共有表示装置４０１、５０１に表示されている映像データを出力する。共有表示装置４０１、５０１に対するクライアント・デバイスＦ〜Ｊ、Ｋ〜Ｏの表示の順番は切換装置４０３、５０３が制御する。
【００５８】
切換装置４０３、５０３は、それぞれのＦＩＦＯメモリのキューの順序で最初に共有表示装置１１に表示したい転送映像Ｆ、Ｋと必要に応じて要求する持ち時間および表示の順番を示す制御コマンドを切換装置１００に出力する。切換装置４０３、５０３が接続されると、切換装置１００はそれらに、共有表示装置１１に表示されている転送映像を送る。ブロック３０５〜ブロック３１１で映像制御部１０３は、クライアント・デバイスＡ〜Ｅおよび切換装置４０３、５０３から映像データおよび制御コマンドを受け取るたびに、共有表示装置１１、４０１、５０１に更新したコントロール画像を表示すれば、表示をみたユーザは適切なタイミングで映像データを送信して自分の順番を確保することができる。
【００５９】
ブロック３１３でＬＡＮ系入力部２０３から切換装置４０３、５０３が出力した映像データおよび制御コマンドを受け取った映像制御部１０３は、キューをＦＩＦＯメモリ１０１に登録する。この時点で、切換装置１００は転送映像Ａと図９に示すコントロール画像１７１を共有表示装置１１に表示することができる。ブロック３１５で映像制御部１０３は、コントロール画像１７１と転送映像Ａを共有表示装置１１に表示する。ブロック３１７で映像制御部１０３は、その時点で共有表示装置１１に表示されている転送映像Ａとコントロール画像１７１を切換装置４０３、５０３に転送すると、共有表示装置４０１、５０１には共有表示装置１１と同じ映像データが表示される。
【００６０】
ブロック３１９で、クライアント・デバイスＡ〜Ｅおよび切換装置４０３、５０３のいずれかが映像制御装部１０３に対してプレゼンテーションの順番および持ち時間の変更を要求したときはブロック３５１に移行する。ブロック３５１では共有表示装置１１にキューの変更要求が表示される。映像共有システム１０の管理者は、キューの順番および持ち時間を必要に応じて変更してブロック３２７に移行する。このとき一例として切換装置１００は、映像データＦが先頭位置に変更されたコントロール画像１７３（図９）を共有表示装置１１、４０１、５０１に短時間表示する。
【００６１】
ブロック３２１で、現在共有表示装置１１、４０１、５０１に転送映像Ａを表示しているクライアント・デバイスＡのユーザがプレゼンテーションを開始する。映像制御部１０３は、転送映像Ａが表示されてからの経過時間を計時して残りの持ち時間を共有表示装置１１に表示するように映像合成部２２３に指示する。ブロック３２３で持ち時間が経過したときはブロック３２７に移行する。ブロック３２５では、持ち時間が終了する前にプレゼンターまたは管理者がクライアント・デバイスＡまたは入力デバイス１０９を通じてプレゼンテーションの終了操作をする。
【００６２】
ブロック３２７で映像制御部１０３は、キューの更新、コントロール画像の生成、つぎに表示する転送映像の選択をして映像合成部２２３に指示する。その後、ブロック３１５に戻ってキューの順番で転送映像を表示し、つぎのユーザがプレゼンテーションを開始する。上記手順によれば、一旦キューに順番を登録したあとは、管理者も含めて共有表示装置に映像データを表示する順番を切り換えるための操作をする必要がなく会議に集中できる。また、共有表示装置１１、１３に持ち時間が表示されるためユーザはその持ち時間を意識しながらプレゼンテーションをすることができる。さらにリモート・ユーザはローカル・ユーザの操作を介在しないで多数のローカル・ユーザと共有表示装置１１の画面を共有しながらオンライン会議をすることができる。
【００６３】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【符号の説明】
【００６４】
１０、１０ａ、１０ｂ  映像共有システム
１１、１３、４０１，５０１  共有表示装置
５１〜５９  ローカルのクライアント・デバイス
６１  リモートのクライアント・デバイス
１００  切換装置
１４０、１８０  持ち時間の画像
１５０、１５１〜１５９、１６１、４０３、５０３、１７１，１７３  コントロール画像
２０１  ビデオ系入力部
２０３  ＬＡＮ系入出力部
２０５  リモート系入出力部
２１１〜２１５  映像生成部
２２１  メモリＤＣ
２２３  映像合成部
２２５、２２７  転送映像
【図１】
2019022181.tif 000003
【図２】
2019022181.tif 000004
【図３】
2019022181.tif 000005
【図４】
2019022181.tif 000006
【図５】
2019022181.tif 000007
【図６】
2019022181.tif 000008
【図７】
2019022181.tif 000009
【図８】
2019022181.tif 000010
【図９】
2019022181.tif 000011